【手続補正書】
【提出日】平成19年8月10日(2007.8.10)
【手続補正１】
【補正対象書類名】特許請求の範囲
【補正対象項目名】全文
【補正方法】変更
【補正の内容】
【特許請求の範囲】
【請求項１】
制御装置と記録装置からなる記録システムにおいて、
前記制御装置は、
前記記録装置に記録された所定のコンテンツのムーブを制御するムーブ制御手段と、
前記ムーブ制御手段によるムーブ実行中、放送波を表示するように制御する表示制御手段と
を備え、
前記記録装置は、
前記所定のコンテンツを記録する記録手段と、
前記制御装置による制御に基づいて、前記記録手段に記録されている前記所定のコンテンツをムーブするムーブ手段と
を備えることを特徴とする記録システム。
【請求項２】
記録装置と接続される制御装置において、
前記記録装置に記録された所定のコンテンツのムーブを制御するムーブ制御手段と、
前記ムーブ制御手段によるムーブ実行中、放送波を表示するように制御する表示制御手段と
を備えることを特徴とする制御装置。
【請求項３】
前記表示制御手段は、前記記録装置に記録されているムーブ可能なコンテンツのタイトルのリストの表示をさらに制御する
ことを特徴とする請求項２に記載の制御装置。
【請求項４】
記録装置と接続される制御装置の制御方法において、
前記記録装置に記録された所定のコンテンツのムーブを制御するムーブ制御ステップと、
前記ムーブ制御ステップの処理によるムーブ実行中、放送波を表示するように制御する表示制御ステップと
を含むことを特徴とする制御方法。
【請求項５】
記録装置と接続される制御装置の制御処理を、コンピュータに行わせるプログラムにおいて、
前記記録装置に記録された所定のコンテンツのムーブを制御するムーブ制御ステップと、
前記ムーブ制御ステップの処理によるムーブ実行中、放送波を表示するように制御する表示制御ステップと
を含むことを特徴とするプログラム。
【請求項６】
制御装置と記録装置からなる記録システムにおいて、
前記制御装置は、
前記記録装置に記録された所定のコンテンツのムーブを制御するムーブ制御手段と、
前記ムーブ制御手段によるムーブが中断された場合、ムーブ中断に関する情報の表示を制御する表示制御手段と
を備え、
前記記録装置は、
前記所定のコンテンツを記録する記録手段と、
前記制御装置による制御に基づいて、前記記録手段に記録されている前記所定のコンテンツをムーブするムーブ手段と
を備えることを特徴とする記録システム。
【請求項７】
記録装置と接続される制御装置において、
前記記録装置に記録された所定のコンテンツのムーブを制御するムーブ制御手段と、
前記ムーブ制御手段によるムーブが中断された場合、ムーブ中断に関する情報の表示を制御する表示制御手段と
を備えることを特徴とする制御装置。
【請求項８】
前記ムーブ中断に関する情報は、アイコンである
ことを特徴とする請求項７に記載の制御装置。
【請求項９】
前記表示制御手段は、前記記録装置に記録されているムーブ可能なコンテンツのタイトルのリストの表示をさらに制御し、前記リスト上に前記ムーブ中断に関する情報を重畳表示する
ことを特徴とする請求項７に記載の制御装置。
【請求項１０】
記録装置と接続される制御装置の制御方法において、
前記記録装置に記録された所定のコンテンツのムーブを制御するムーブ制御ステップと、
前記ムーブ制御ステップの処理によるムーブが中断された場合、ムーブ中断に関する情報の表示を制御する表示制御ステップと
を含むことを特徴とする制御方法。
【請求項１１】
記録装置と接続される制御装置の制御処理を、コンピュータに行わせるプログラムにおいて、
前記記録装置に記録された所定のコンテンツのムーブを制御するムーブ制御ステップと、
前記ムーブ制御ステップの処理によるムーブが中断された場合、ムーブ中断に関する情報の表示を制御する表示制御ステップと
を含むことを特徴とするプログラム。
【手続補正２】
【補正対象書類名】明細書
【補正対象項目名】０００１
【補正方法】変更
【補正の内容】
【０００１】
本発明は、記録システム、制御装置および方法、並びにプログラムに関し、特に、記録装置におけるコンテンツの移動を制御装置側から指示することができるようにした記録システム、制御装置および方法、並びにプログラムに関する。
【手続補正３】
【補正対象書類名】明細書
【補正対象項目名】００１２
【補正方法】変更
【補正の内容】
【００１２】
本発明はこのような状況に鑑みてなされたものであり、記録装置におけるコンテンツのムーブを制御装置側から指示するとともに、その際のユーザの利便性を向上させることができるようにするものである。
【手続補正４】
【補正対象書類名】明細書
【補正対象項目名】００１３
【補正方法】変更
【補正の内容】
【００１３】
本発明の第１の記録システムは、制御装置と記録装置からなる記録システムであって、制御装置が、記録装置に記録された所定のコンテンツのムーブを制御するムーブ制御手段と、ムーブ制御手段によるムーブ実行中、放送波を表示するように制御する表示制御手段とを備え、記録装置が、所定のコンテンツを記録する記録手段と、制御装置による制御に基づいて、記録手段に記録されている所定のコンテンツをムーブするムーブ手段とを備えることを特徴とする。
【手続補正５】
【補正対象書類名】明細書
【補正対象項目名】００１４
【補正方法】変更
【補正の内容】
【００１４】
本発明の第１の制御装置は、記録装置と接続される制御装置であって、記録装置に記録された所定のコンテンツのムーブを制御するムーブ制御手段と、ムーブ制御手段によるムーブ実行中、放送波を表示するように制御する表示制御手段とを備えることを特徴とする。
【手続補正６】
【補正対象書類名】明細書
【補正対象項目名】００１６
【補正方法】変更
【補正の内容】
【００１６】
本発明の第１の制御方法は、記録装置と接続される制御装置の制御方法であって、記録装置に記録された所定のコンテンツのムーブを制御するムーブ制御ステップと、ムーブ制御ステップの処理によるムーブ実行中、放送波を表示するように制御する表示制御ステップとを含むことを特徴とする。
【手続補正７】
【補正対象書類名】明細書
【補正対象項目名】００１７
【補正方法】変更
【補正の内容】
【００１７】
本発明の第１のプログラムは、記録装置と接続される制御装置の制御処理を、コンピュータに行わせるプログラムであって、記録装置に記録された所定のコンテンツのムーブを制御するムーブ制御ステップと、ムーブ制御ステップの処理によるムーブ実行中、放送波を表示するように制御する表示制御ステップとをコンピュータに実行させることを特徴とする。
【手続補正８】
【補正対象書類名】明細書
【補正対象項目名】００１８
【補正方法】変更
【補正の内容】
【００１８】
本発明の第２の記録システムは、制御装置と記録装置からなる記録システムであって、制御装置が、記録装置に記録された所定のコンテンツのムーブを制御するムーブ制御手段と、ムーブ制御手段によるムーブが中断された場合、ムーブ中断に関する情報の表示を制御する表示制御手段とを備え、記録装置が、所定のコンテンツを記録する記録手段と、制御装置による制御に基づいて、記録手段に記録されている所定のコンテンツをムーブするムーブ手段とを備えることを特徴とする。
【手続補正９】
【補正対象書類名】明細書
【補正対象項目名】００１９
【補正方法】変更
【補正の内容】
【００１９】
本発明の第２の制御装置は、記録装置と接続される制御装置であって、記録装置に記録された所定のコンテンツのムーブを制御するムーブ制御手段と、ムーブ制御手段によるムーブが中断された場合、ムーブ中断に関する情報の表示を制御する表示制御手段とを備えることを特徴とする。
【手続補正１０】
【補正対象書類名】明細書
【補正対象項目名】００２２
【補正方法】変更
【補正の内容】
【００２２】
本発明の第２の制御方法は、記録装置と接続される制御装置の制御方法であって、記録装置に記録された所定のコンテンツのムーブを制御するムーブ制御ステップと、ムーブ制御ステップの処理によるムーブが中断された場合、ムーブ中断に関する情報の表示を制御する表示制御ステップとを含むことを特徴とする。
【手続補正１１】
【補正対象書類名】明細書
【補正対象項目名】００２３
【補正方法】変更
【補正の内容】
【００２３】
本発明の第２のプログラムは、記録装置と接続される制御装置の制御処理を、コンピュータに行わせるプログラムであって、記録装置に記録された所定のコンテンツのムーブを制御するムーブ制御ステップと、ムーブ制御ステップの処理によるムーブが中断された場合、ムーブ中断に関する情報の表示を制御する表示制御ステップとをコンピュータに実行させることを特徴とする。
【手続補正１２】
【補正対象書類名】明細書
【補正対象項目名】００２８
【補正方法】変更
【補正の内容】
【００２８】
本発明によれば、記録装置におけるコンテンツのムーブを制御装置側から指示することが可能となる。また、ユーザの利便性を向上させることが可能となる。
【手続補正１３】
【補正対象書類名】明細書
【補正対象項目名】００３１
【補正方法】変更
【補正の内容】
【００３１】
請求項１に記載の記録システム（例えば、図２の録画・再生システム１）は、制御装置（例えば、図２のDTV１１）と記録装置（例えば、図２のHDR１３）からなる記録システムであって、制御装置が、記録装置に記録された所定のコンテンツのムーブを制御するムーブ制御手段（例えば、図１３のステップＳ９の処理を実行する図７のムーブ制御部６１）と、ムーブ制御手段によるムーブ実行中、放送波を表示するように制御する表示制御手段（例えば、図１２の表示を制御する図７のリスト表示部６２）とを備え、記録装置が、所定のコンテンツを記録する記録手段と、制御装置による制御に基づいて、記録手段に記録されている所定のコンテンツをムーブするムーブ手段とを備えることを特徴とする。
【手続補正１４】
【補正対象書類名】明細書
【補正対象項目名】００３２
【補正方法】変更
【補正の内容】
【００３２】
請求項２に記載の制御装置（例えば、図２のDTV１１）は、記録装置（例えば、図２のHDR１３）と接続される制御装置であって、記録装置に記録された所定のコンテンツのムーブを制御するムーブ制御手段（例えば、図１３のステップＳ９の処理を実行する図７のムーブ制御部６１）と、ムーブ制御手段によるムーブ実行中、放送波を表示するように制御する表示制御手段（例えば、図１２の表示を制御する図７のリスト表示部６２）とを備えることを特徴とする。
【手続補正１５】
【補正対象書類名】明細書
【補正対象項目名】００３４
【補正方法】変更
【補正の内容】
【００３４】
請求項４に記載の制御方法は、記録装置（例えば、図２のHDR１３）と接続される制御装置（例えば、図２のDTV１１）の制御方法であって、記録装置に記録された所定のコンテンツのムーブを制御するムーブ制御ステップ（例えば、図１３のステップＳ９）と、ムーブ制御ステップの処理によるムーブ実行中、放送波（例えば、図１２）を表示するように制御する表示制御ステップとを含むことを特徴とする。
【手続補正１６】
【補正対象書類名】明細書
【補正対象項目名】００３６
【補正方法】変更
【補正の内容】
【００３６】
請求項６に記載の記録システム（例えば、図２の録画・再生システム１）は、制御装置（例えば、図２のDTV１１）と記録装置（例えば、図２のHDR１３）からなる記録システムであって、制御装置が、記録装置に記録された所定のコンテンツのムーブを制御するムーブ制御手段（例えば、図１３のステップＳ９の処理を実行する図７のムーブ制御部６１）と、ムーブ制御手段によるムーブが中断された場合、ムーブ中断に関する情報（例えば、図８のムーブ中断アイコン７３）の表示を制御する表示制御手段（例えば、図１４のステップＳ３５の処理を実行する図７のリスト表示部６２）とを備え、記録装置が、所定のコンテンツを記録する記録手段と、制御装置による制御に基づいて、記録手段に記録されている所定のコンテンツをムーブするムーブ手段とを備えることを特徴とする。
【手続補正１７】
【補正対象書類名】明細書
【補正対象項目名】００３７
【補正方法】変更
【補正の内容】
【００３７】
請求項７に記載の制御装置（例えば、図２のDTV１１）は、記録装置（例えば、図２のHDR１３）と接続される制御装置であって、記録装置に記録された所定のコンテンツのムーブを制御するムーブ制御手段（例えば、図１３のステップＳ９の処理を実行する図７のムーブ制御部６１）と、ムーブ制御手段によるムーブが中断された場合、ムーブ中断に関する情報（例えば、図８のムーブ中断アイコン７３）の表示を制御する表示制御手段（例えば、図１４のステップＳ３５の処理を実行する図７のリスト表示部６２）とを備えることを特徴とする。
【手続補正１８】
【補正対象書類名】明細書
【補正対象項目名】００３９
【補正方法】変更
【補正の内容】
【００３９】
請求項１０に記載の制御方法は、記録装置（例えば、図２のHDR１３）と接続される制御装置（例えば、図２のDTV１１）の制御方法であって、記録装置に記録された所定のコンテンツのムーブを制御するムーブ制御ステップ（例えば、図１３のステップＳ９）と、ムーブ制御ステップの処理によるムーブが中断された場合、ムーブ中断に関する情報（例えば、図８のムーブ中断アイコン７３）の表示を制御する表示制御ステップ（例えば、図１４のステップＳ３５）とを含むことを特徴とする。